(57)【要約】    【課題】従来のランドセル用フックは、ランドセルを掛ける際などに掛けにくい場合があった。    【解決手段】鞄用可動式フック１０は、固定用のベースブロック１２と金属製フック１１とを有している。ベースブロック１２には２種類のガイド溝２４，２５が形成されていて、金属製フック１１をベースブロック１２に取り付けた時、金属製フック１１のアーム部１５の根元はガイド溝２４またはガイド溝２５に嵌まる。これにより、ベースブロック１２に対して金属製フック１１の突出方向を変えることができる。    【効果】金属製フック１１の突出方向を、掛ける鞄の種類に応じて変えることにより、種々の鞄が掛け易くなる。【選択図】          図４
2006055356.tif 000002
【特許請求の範囲】
【請求項１】
学習机の側板などに取り付けられ、ランドセル、鞄などを掛けるためのフックであって、
金属製の棒を曲げて形成した金属製フックと、
上記金属製フックを取り付けるためのベースブロックとを備え、
上記金属製フックは、鉛直方向の中心面に対して左右対称形状をし、端部が所定間隔をあけて対向し、端部から左右外方へ水平方向に延びる一対の挿入部と、各挿入部の左右外端から鋭角に屈曲し、下方へ延びる一対のアーム部であって、その下端における間隔が上記端部の対向間隔とほぼ等しいかやや狭い間隔になっている一対のアーム部と、上記一対のアーム部の下端に連設され、側面視において、アーム部と円弧状につながって前方斜め上方に向かって延びており、正面視において、上方に凸湾曲する略半円形を形成し、一対のアーム部の下端間をつないでいるフック部と、を有し、それらが一本の金属棒によって一体的に形成されていて、
上記ベースブロックは、背面に学習机の側板などの取り付け面に当接するフラット面を有し、正面から背面に貫通する取り付けねじが挿通される取り付け用貫通孔を備え、左右両側面には、中心に向かって水平方向に窪んだ円柱状の穴であって、上記金属製フックの挿入部が挿入される嵌合穴が形成され、左右両側面には、さらに、下方または前方斜め下方から上記嵌合穴への進入方向を規定する、嵌合穴とほぼ９０度の角度を有し、嵌合穴の入口と連通する少なくとも２つのガイド溝であって、上記金属製フックのアーム部の根元が嵌まるガイド溝が形成されており、
上記アーム部の根元が２つのガイド溝のいずれか一方に嵌まることにより、金属製フックはベースブロックによって下方へ突出するように固定され、上記アーム部の根元が２つのガイド溝のいずれか他方に嵌まることにより、金属製フックはベースブロックによって斜め前方へ突出するように固定されることを特徴とする、鞄用可動式フック。
【発明の詳細な説明】
【技術分野】
【０００１】
この発明は、学習机の側板などに取り付けられて、ランドセル、鞄等を掛けるためのフックに関する。
【背景技術】
【０００２】
図１に示すように、学習机１の側板２などには、ランドセル３などを掛けるためのフック４が備えられていることが多い。児童は、帰宅時にランドセル３を外し、このフック４にぶら下げる。
ところが、従来のフック４は、たとえば最も簡単なものでは、図２に示す形態をしている。すなわち、樹脂で構成された側面視鉤形のフック４が取付ねじ５によって側板２に取り付けられているというものである。この場合、側板２に取り付けられたフック４は、側板２から先端までの長さ６が短く、フック４にランドセル３などを掛けにくいという課題があった。
【０００３】
ランドセル３以外の鞄であっても、鞄本体の厚みが厚かったり、取っ手が太いものは、フック４に掛けにくいという課題があった。
従来の他のフックとしては、下記の特許文献に開示されているが、いずれのものも、フック自体の向きは固定されており、ランドセルなどが掛けにくい場合があるという課題がある。
【特許文献１】特開２００１−２３８７１５
【特許文献２】特開平０９−０５１８４５
【発明の開示】
【発明が解決しようとする課題】
【０００４】
この発明は、上述の背景のもとになされたもので、ランドセル、鞄などを掛け易いように、掛ける鞄の形態に応じてフックの向きを可変できる鞄用可動フックを提供することを目的とする。
【課題を解決するための手段】
【０００５】
この発明は、学習机の側板などに取り付けられ、ランドセル、鞄などを掛けるためのフックであって、金属製の棒を曲げて形成した金属製フックと、上記金属製フックを取り付けるためのベースブロックとを備え、上記金属製フックは、鉛直方向の中心面に対して左右対称形状をし、端部が所定間隔をあけて対向し、端部から左右外方へ水平方向に延びる一対の挿入部と、各挿入部の左右外端から鋭角に屈曲し、下方へ延びる一対のアーム部であって、その下端における間隔が上記端部の対向間隔とほぼ等しいかやや狭い間隔になっている一対のアーム部と、上記一対のアーム部の下端に連設され、側面視において、アーム部と円弧状につながって前方斜め上方に向かって延びており、正面視において、上方に凸湾曲する略半円形を形成し、一対のアーム部の下端間をつないでいるフック部と、を有し、それらが一本の金属棒によって一体的に形成されていて、上記ベースブロックは、背面に学習机の側板などの取り付け面に当接するフラット面を有し、正面から背面に貫通する取り付けねじが挿通される取り付け用貫通孔を備え、左右両側面には、中心に向かって水平方向に窪んだ円柱状の穴であって、上記金属製フックの挿入部が挿入される嵌合穴が形成され、左右両側面には、さらに、下方または前方斜め下方から上記嵌合穴への進入方向を規定する、嵌合穴とほぼ９０度の角度を有し、嵌合穴の入口と連通する少なくとも２つのガイド溝であって、上記金属製フックのアーム部の根元が嵌まるガイド溝が形成されており、上記アーム部の根元が２つのガイド溝のいずれか一方に嵌まることにより、金属製フックはベースブロックによって下方へ突出するように固定され、上記アーム部の根元が２つのガイド溝のいずれか他方に嵌まることにより、金属製フックはベースブロックによって斜め前方へ突出するように固定されることを特徴とする、鞄用可動式フックである。
【発明の効果】
【０００６】
この発明によれば、ベースブロックに形成された少なくとも２つのガイド溝のいずれに金属製フックのアーム部の根元を嵌めるかにより、ベースブロックに固定される金属製フックの向きが少なくとも２通りに変化する。
そのため、たとえば通常使用時には、金属製フックがベースブロックによって下方へ突出するように固定された状態で、使用することができる。
【０００７】
一方、容積の大きな鞄などを引っ掛けたい場合には、ベースブロックに形成された他方のガイド溝にアーム部の根元を嵌めることにより、金属製フックはベースブロックによって斜め前方へ突出するように固定される。従って、斜め前方へ突出した金属製フックは、ベースブロックが取り付けられた側板から前方へ突出しており、側板との距離が長くなり、容積の大きな鞄などを掛け易くなる。
【０００８】
このように、この発明によれば、掛けるべき鞄の種類等に応じて、その形態を可変でき、鞄を掛け易いフックとすることができる。
【発明を実施するための最良の形態】
【０００９】
以下には、図面を参照して、この発明の実施形態に係る鞄用可動フックについて説明をする。
図３は、この発明の一実施形態に係る鞄用可動フック１０の正面図であり、図４はその右側面図であって、フックが２つの位置をとり得る状態が示されている。
この実施形態に係る鞄用可動フック１０は、金属の棒を折り曲げて形成した金属製フック１１と、金属製フック１１を取り付けるためのベースブロック１２とを備える。
【００１０】
金属製フック１１は、正面視において、鉛直方向の中心面１３に対して左右対称形状をしている。金属製フック１１は、たとえば直径３ｍｍ程度の鉄の丸棒を曲げて作られたものである。
金属製フック１１は、その構成要素として、一対の挿入部１４と、一対のアーム部１５とフック部１６とを備えている。一対の挿入部１４は、端部１７同士が所定間隔、たとえば１０ｍｍ程度あけて対向し、端部１７から左右外方へ水平方向に延びている。左右の挿入部１４には、それぞれ、左右外端から鋭角に屈曲し下方へ延びる一対のアーム部１５がつながっている。一対のアーム部１５は、上方から下方に向かって左右方向の間隔が狭まるように延びていて、その下端における間隔は、たとえば中心間隔が９ｍｍ程度と、上記端部１７の対向間隔とほぼ等しいか、それよりもやや狭い間隔となっている。
【００１１】
そして、一対のアーム部１５の下端にはフック部１６が連設されている。フック部１６は、側面視において（図４）、アーム部１５と円弧状につながって前方斜め上方へ向かって延びている。また、正面視においては（図３）、上方に凸湾曲して略半円形を形成し、一対のアーム部５の下端部間をつないでいる。
上記一対の挿入部１４、一対のアーム部１５およびフック部１６は、既に説明したように、鉄、ステンレス等の金属製の棒を折り曲げて一体的に形成されたものである。
【００１２】
一方、ベースブロック１２は、背の低い円柱状であり、正面１８の周辺部は丸く面取り面１９とされ、面取り面１９が周面（上下および左右側面）２０へとつながっている。ベースブロック１２の背面２１は、学習机の側板などの取り付け面にぴったりと当接するようにフラット面とされている。
ベースブロック１２には、正面１８から背面２１へ貫通する貫通孔２２が形成されている。貫通孔２２は正面側から取付ねじ（図示せず）を挿通するための孔であり、正面側１８にはねじ頭が収まる径の大きな領域が形成されている。
【００１３】
ベースブロック１２の周面２０のうち、左右両側面には、それぞれ、中心に向かって水平方向に窪んだ嵌合穴２３が形成されている。この嵌合穴２３は、左右で対をなしていて、図示のように、金属製フック１１の挿入部１４が嵌められる穴である。嵌合穴２３は、後述するように、金属製フック１１の固定角度を変える際に、挿入部１４が貫通穴２３内で回動し得るように、円柱状の穴となっている。
【００１４】
ベースブロック１２には、さらに、左右両側に位置する周面２０（左右両側面）に、それぞれ、２種類のガイド溝２４，２５が形成されている。一方のガイド溝２４は、嵌合穴２３の開口部から下方に向かって延びている。ガイド溝２４は、嵌合穴２３と直交しており、嵌合穴２３の下方と連通している。
他方のガイド溝２５は、嵌合穴２３から前方斜め下方へ約４５°の角度で延びるように、嵌合穴２３に連通している。ガイド溝２５も嵌合穴２３とほぼ直交している。
【００１５】
これらガイド溝２４，２５は、共に、アーム部１５の根元が嵌まる溝である。  そして、図４に示すように、アーム部１５の根元がガイド溝２４に嵌まることにより、金属製フック１１はベースブロック１２によって下方へ突出するように固定される。
また、アーム部１５の根元がガイド溝２５に嵌まることにより、金属製フック１１はベースブロック１２によって斜め前方（ベースブロック１２から前方斜め下に向かって４５°の角度方向）に突出するように固定される。
【００１６】
金属製フック１１は、前述したように左右対称であり、一対の挿入部１４の端部１７同士が近接する方向に、一対のアーム部１５およびフック部１６によってばね性が持たされている。このため、嵌合穴２３に嵌められた一対の挿入部１４は、嵌合穴２３内に進入する方向に弾力付勢されている。そして一対のアーム部１５をこの弾力付勢方向と逆方向に少し変位させ、金属製フック１１をベースブロック１２に対して嵌合穴２３を中心に回動させることにより、一対のアーム部１５の根元をガイド溝２４またはガイド溝２５に択一的に嵌めることができる。  そして一対のアーム部１５の根元をガイド溝２４またはガイド溝２５に嵌めた状態で、金属製フック１１から手を離せば、金属製フック１１は前述した弾性力によって一対のアーム部１５および一対の挿入部１４が互いに近接する方向に弾性変位し、一対の挿入部１４は嵌合穴２３内に、また一対のアーム部１５の根元はガイド溝２４またはガイド溝２５にしっかりと嵌まる。
【００１７】
以上の構成であるから、この発明の鞄用可動フックは、鞄の形態等に応じて、図４に示す下方に突出した状態および前方斜めに突出した状態に変位させ、鞄を適切な状態で受け止め得るようにすることができる。
たとえば、金属製フック１１が斜め前方へ突出した状態にすると、ランドセルが掛け易い。また、トートバッグのような鞄は、金属製フック１１を下方に突出させた状態で掛け易い。
【００１８】
また、金属製フック１１が斜め前方へ突出した状態で邪魔になるときは、金属製フック１１を下方に延びるようにできるから、取り付け場所に困ることもない。
この発明は、以上説明した実施形態に限定されるものではなく、請求項記載の範囲内において種々の変更が可能である。
【図面の簡単な説明】
【００１９】
【図１】従来例のランドセル用フックを説明するための斜視図である。
【図２】従来例のランドセル用フックを説明するための側面図である。
【図３】この発明の一実施形態に係る鞄用可動フックの正面図である。
【図４】この発明の一実施形態に係る鞄用可動フックの右側面図である。
【符号の説明】
【００２０】
１０    鞄用可動フック
１１    金属製フック
１２    ベースブロック
１４    一対の挿入部
１５    一対のアーム
１６    フック部
１７    端面
２０    周面
２１    背面
２２    貫通孔
２３    嵌合穴
２４，２５    ガイド溝
【図１】
2006055356.tif 000003
【図２】
2006055356.tif 000004
【図３】
2006055356.tif 000005
【図４】
2006055356.tif 000006